(57)【要約】【課題】導光体を挟み込んで保持するホルダにおいて適切に導光体を保持する。【解決手段】発光部２０と、光ファイバ３０と、光ファイバ３０が発光部２０と対向している状態で光ファイバ３０を保持するホルダ４０と、を有する照明装置１０Ｂにおいて、ホルダ４０は、発光部２０が組み付けられているホルダ本体４１と、光ファイバ３０のうち、ホルダ４０によって保持された被保持部分３１の伸長方向と交差する方向において被保持部分３１を挟んだ状態で係合する２つの挟み込み部分４４、４５と、上記の伸長方向において２つの挟み込み部分４４、４５と並ぶ位置に設けられた突出部６１と、を有する。突出部６１は、２つの挟み込み部分４４、４５の係合箇所が上記の伸長方向においてホルダ本体４１が位置する向きにずれるのを抑制する。【選択図】図１２
2020123595.tif 000002
【特許請求の範囲】
【請求項１】
発光部と、線状に伸長している導光体と、該導光体が前記発光部と対向している状態で前記導光体を保持するホルダと、を有し、
該ホルダは、
前記発光部が組み付けられているホルダ本体と、
前記導光体のうち、前記ホルダによって保持された被保持部分の伸長方向と交差する方向において前記被保持部分を挟んだ状態で係合する２つの挟み込み部分と、
前記伸長方向において前記２つの挟み込み部分と並ぶ位置に設けられ、前記２つの挟み込み部分の係合箇所が前記伸長方向において前記ホルダ本体が位置する向きにずれるのを抑制する抑制部と、を備えることを特徴とする照明装置。
【請求項２】
前記抑制部は、前記伸長方向において前記２つの挟み込み部分に向かって前記ホルダ本体から突出した突出部であることを特徴とする請求項１に記載の照明装置。
【請求項３】
前記２つの挟み込み部分の一方は、前記被保持部分と対向する面に形成された凸部を有し、
前記２つの挟み込み部分が前記被保持部分を挟み込んだ状態において前記凸部が前記被保持部分と接していることを特徴とする請求項１又は２に記載の照明装置。
【請求項４】
前記凸部は、楔状の突起であり、前記伸長方向において前記ホルダ本体から離れるほど前記被保持部分と対向する面に近付いている斜面を有することを特徴とする請求項３に記載の照明装置。
【請求項５】
前記凸部の頂部は、円弧状に切り欠かれていることを特徴とする請求項３又は４に記載の照明装置。
【請求項６】
前記２つの挟み込み部分の一方は、
他方の被係合部と係合する爪状の係合部と、
前記伸長方向において前記係合部のうち、前記ホルダ本体に近い方の端部と隣接する隣接部と、を有し、
前記隣接部は、前記被係合部と係合不能な形状となっていることを特徴とする請求項１乃至５のいずれか一項に記載の照明装置。
【請求項７】
前記２つの挟み込み部分が係合した状態において、前記２つの挟み込み部分の一方と前記ホルダ本体との間に隙間が形成されており、前記被保持部分の一部が前記隙間を通じて露出していることを特徴とする請求項１乃至６のいずれか一項に記載の照明装置。
【請求項８】
前記発光部は、光源と、該光源から発せられた光を集光する集光レンズとを備え、
前記ホルダ本体は、開口が形成された壁を有し、
前記２つの挟み込み部分は、前記開口を通じて前記被保持部分の端面が前記集光レンズと対向するように前記被保持部分を挟んだ状態で係合することを特徴とする請求項１乃至７のいずれか一項に記載の照明装置。
【請求項９】
前記導光体は、光ファイバであり、
前記開口のうち、前記被保持部分により近い方の端のサイズは、前記光ファイバの断面のサイズよりも小さいことを特徴とする請求項８に記載の照明装置。
【請求項１０】
前記２つの挟み込み部分の一方は、ヒンジによって他方に連結されており、該他方に対して回動自在であり、
前記２つの挟み込み部分は、前記伸長方向において前記抑制部の手前位置で係合することを特徴とする請求項１乃至９のいずれか一項に記載の照明装置。
【発明の詳細な説明】
【技術分野】
【０００１】
本発明は、照明装置に係り、特に、発光部からの光を伝達する導光体をホルダによって保持する構成の照明装置に関する。
【背景技術】
【０００２】
乗物内で用いられる照明装置は、ドアライニングやセンターコンソール等に取り付けられて車内の装飾性を高める目的で用いられることがある。このような照明装置の一例としては、特許文献１に記載の照明装置が挙げられる。特許文献１に記載の照明装置は、車両用照明装置であり、光源と、光源からの光を伝達する導光体（具体的には導光棒）と、これらを保持しながら所定位置に取り付けられる照明装置本体部（以下では単に本体部と呼ぶ）と、を有する。
【先行技術文献】
【特許文献】
【０００３】
【特許文献１】特開２０１１−１２１５０３号公報
【発明の概要】
【発明が解決しようとする課題】
【０００４】
特許文献１に記載の照明装置では、本体部に組み付けられたカバー部材と本体部の間に導光体を挟み込むことにより当該導光体が本体部に取り付けられる。より詳しく説明すると、カバー部材には係合爪が形成されており、かかる係合爪が本体部に設けられた被係合爪に係合可能となっている。そして、カバー部と本体部の間に導光体が挟み込まれた状態で係合爪が被係合爪に係合することにより、導光体が本体部に取り付けられるようになる。
【０００５】
ところで、係合爪を被係合爪に係合させる際、係合爪中の正規の部分が被係合爪に係合される必要がある。しかしながら、例えば、カバー部材が意図せずに動いてしまうことにより、係合爪のうち、被係合爪に係合される部分が正規の部分からずれてしまう可能性がある。このように被係合爪が本来の係合箇所からずれた位置にて被係合爪に係合してしまうと、被係合爪と被係合爪との係合状態が安定せず、結果として、導光体が本体部に適切に取り付けられなくなる虞がある。
【０００６】
そこで、本発明は、上記の問題に鑑みてなされたものであり、その目的は、ホルダによって導光体を挟み込んで保持する構造において適切に導光体を挟み込んで保持することが可能な照明装置を提供することにある。
【課題を解決するための手段】
【０００７】
前記課題は、本発明の照明装置によれば、発光部と、線状に伸長している導光体と、該導光体が前記発光部と対向している状態で前記導光体を保持するホルダと、を有し、該ホルダは、前記発光部が組み付けられているホルダ本体と、前記導光体のうち、前記ホルダによって保持された被保持部分の伸長方向と交差する方向において前記被保持部分を挟んだ状態で係合する２つの挟み込み部分と、前記伸長方向において前記２つの挟み込み部分と並ぶ位置に設けられ、前記２つの挟み込み部分の係合箇所が前記伸長方向において前記ホルダ本体が位置する向きにずれるのを抑制する抑制部と、を備えることにより解決される。
【０００８】
上記のように構成された本発明の照明装置では、ホルダ本体に抑制部が設けられており、この抑制部によって、２つの挟み込み部分の係合箇所が導光体の被保持部分の伸長方向においてホルダ本体が位置する向きにずれるのを抑制することが可能となる。これにより、２つの挟み込み部分は、適当な係合箇所にて係合するようになる結果、導光体がホルダによって適切に保持されるようになる。
【０００９】
また、上記の照明装置において、前記抑制部は、前記伸長方向において前記２つの挟み込み部分に向かって前記ホルダ本体から突出した突出部であると好適である。
上記の構成では、ホルダ本体から突出した突出部によって抑制部が構成されているため、より簡単な構成にて、ホルダ本体に抑制部を設けることが可能となる。
【００１０】
また、上記の照明装置において、前記２つの挟み込み部分の一方は、前記被保持部分と対向する面に形成された凸部を有し、前記２つの挟み込み部分が前記被保持部分を挟み込んだ状態において前記凸部が前記被保持部分と接していると好適である。
上記の構成では、２つの挟み込み部分が導光体の被保持部分を挟み込んだ際、一方の挟み込み部分に設けられた凸部が被保持部分と接して当該被保持部分を押さえ付ける。これにより、２つの挟み込み部分に挟み込まれた状態の被保持部分が抜け出てしまうのを抑制することが可能となる。
【００１１】
また、上記の照明装置において、前記凸部は、楔状の突起であり、前記伸長方向において前記ホルダ本体から離れるほど前記被保持部分と対向する面に近付いている斜面を有するとよい。
上記の構成では、被保持部分を押さえ付ける凸部が楔状の突起からなり、また、当該突起は、ホルダ本体から離れるほど低くなった斜面を有している。これにより、２つの挟み込み部分に挟み込まれた状態の被保持部分が抜け出てしまうのを、より効果的に抑制することが可能となる。
【００１２】
また、上記の照明装置において、前記凸部の頂部は、円弧状に切り欠かれているとよい。
上記の構成では、凸部の頂部が円弧状に切り欠かれているため、導光体の被保持部分が凸部によって押さえ付けられることで損傷してしまうのを抑制することが可能となる。
【００１３】
また、上記の照明装置において、前記２つの挟み込み部分の一方は、他方の被係合部と係合する爪状の係合部と、前記伸長方向において前記係合部のうち、前記ホルダ本体に近い方の端部と隣接する隣接部と、を有し、前記隣接部は、前記被係合部と係合不能な形状となっているとよい。
上記の構成では、一方の挟み込み部分において係合部と隣接する隣接部が、他方の挟み込み部分に備えられた被係合部と係合不能となっている。これにより、導光体の被保持部分の伸長方向において２つの挟み込み部分の係合箇所がずれてしまうのを、より効果的に抑制することが可能となる。
【００１４】
また、上記の照明装置において、前記２つの挟み込み部分が係合した状態において、前記２つの挟み込み部分の一方と前記ホルダ本体との間に隙間が形成されており、前記被保持部分の一部が前記隙間を通じて露出していると好適である。
上記の構成では、２つの挟み込み部分が係合した状態において、一方の挟み込み部分とホルダ本体との間に隙間が形成されている。そして、この隙間を通じて被保持部分の一部が露出している。これにより、上記の隙間を通じて被保持部分の位置等を確認することが可能となる。
【００１５】
また、上記の照明装置において、前記発光部は、光源と、該光源から発せられた光を集光する集光レンズとを備え、前記ホルダ本体は、開口が形成された壁を有し、前記２つの挟み込み部分は、前記開口を通じて前記被保持部分の端面が前記集光レンズと対向するように前記被保持部分を挟んだ状態で係合するとよい。
上記の構成では、２つの挟み込み部分の間に被保持部分が挟み込まれると、当該被保持部分の端面が開口を通じて集光レンズと対向するようになる。かかる構成であれば、集光レンズから発された光を良好に捕捉し得るように導光体をホルダに保持させることが可能となる。
【００１６】
また、上記の照明装置において、前記導光体は、光ファイバであり、前記開口のうち、前記被保持部分により近い方の端のサイズは、前記光ファイバの断面のサイズよりも小さいとよい。
上記の構成では、開口のうち、被保持部分により近い方の端のサイズが、導光体をなす光ファイバの断面サイズよりも小さくなっている。このため、集光レンズから発せられた光がより適切に光ファイバ（厳密には、被保持部分の端面）に向かうようになる。この結果、光ファイバにおける光の伝達が効率よく行われるようになる。
【００１７】
また、上記の照明装置において、前記２つの挟み込み部分の一方は、ヒンジによって他方に連結されており、該他方に対して回動自在であり、前記２つの挟み込み部分は、前記伸長方向において前記抑制部の手前位置で係合すると好適である。
上記の構成では、２つの挟み込み部分がヒンジによって連結されているので、挟み込み部分が分離している構成に比べて、挟み込み部分の取り扱い（特に、挟み込み部分同士を係合させること）が容易になる。また、導光体の被保持部分の延出方向において、抑制部の手前位置で２つの挟み込み部分が係合するため、抑制部による係合箇所の位置ずれ機能が適切に発揮されるようになる。
【発明の効果】
【００１８】
本発明によれば、２つの挟み込み部分の係合箇所の位置ずれが抑制されることにより、導光体がホルダによって適切に保持されるようになる。
また、本発明によれば、簡単な構成にてホルダ本体に抑制部を設けることが可能となる。
また、本発明によれば、一方の挟み込み部分に設けられた凸部が被保持部分と接して当該被保持部分を押さえ付けることにより、２つの挟み込み部分に挟み込まれた状態の被保持部分が抜け出てしまうのを抑制することが可能となる。
また、本発明によれば、楔状の突起からなる凸部が、ホルダ本体から離れるほど低くなった斜面を有しているため、２つの挟み込み部分に挟み込まれた状態の被保持部分が抜け出てしまうのを、より効果的に抑制することが可能となる。
また、本発明によれば、凸部の頂部が円弧状に切り欠かれているため、導光体の被保持部分が凸部によって押さえ付けられることで損傷してしまうのを抑制することが可能となる。
また、本発明によれば、一方の挟み込み部分において係合部と隣接する隣接部、他方の挟み込み部分に備えられた被係合部と係合不能となっているため、２つの挟み込み部分の係合箇所の位置ずれを、より効果的に抑制することが可能となる。
また、本発明によれば、一方の挟み込み部分が他方の挟み込み部分と係合した状態において、他方の挟み込み部分とホルダ本体との間に隙間が形成されている。そして、この隙間を通じて被保持部分の位置等を確認することが可能となる。
また、本発明によれば、２つの挟み込み部分の間に挟み込まれた状態にある被保持部分が開口を通じて集光レンズと対向するようになる。このため、集光レンズから発された光を良好に捕捉し得るように導光体をホルダに保持させることが可能となる。
また、本発明によれば、開口のうち、被保持部分により近い方の端のサイズが、導光体をなす光ファイバの断面サイズよりも小さくなっている。このため、集光レンズから発せられた光がより適切に光ファイバに向かい、光ファイバ内で光が効率よく伝達される。
また、本発明によれば、２つの挟み込み部分がヒンジによって連結されているので、挟み込み部分の取り扱い（特に、挟み込み部分同士を係合させること）が容易になる。また、抑制部の手前位置で２つの挟み込み部分が係合するため、抑制部による係合箇所の位置ずれ機能が適切に発揮されるようになる。
【図面の簡単な説明】
【００１９】
【図１】本発明の照明装置の利用例を示す図である。
【図２】照明装置の斜視図であり、照明装置を斜め側方から見たときの図である。
【図３】照明装置の斜視図であり、照明装置を斜め下方から見たときの図である。
【図４】照明装置を下方から見たときの図である。
【図５】照明装置を側方から見たときの図である。
【図６】発光部の斜視図であり、発光部を斜め側方から見たときの図である。
【図７】発光部を下方から見たときの図である。
【図８】発光部本体を示す斜視図であり、発光部本体を斜め側方から見たときの図である。
【図９】解放状態にあるときのホルダを示す図である。
【図１０】導光体の保持状態を示す図であり、図５中のＡ−Ａ断面を示す図である。
【図１１】一方の挟み込み部分に備えられた凸部を示す図である。
【図１２】本発明の一実施形態に係る照明装置の斜視図であり、照明装置を斜め側方から見たときの図である。
【図１３】本発明の一実施形態に係るホルダの斜視図であり、ホルダを斜め側方から見たときの図である。
【図１４】本発明の一実施形態に係る凸部を示す図である。
【図１５】本発明の一実施形態に係る凸部を、図１４において凸部を見ている向きとは反対の向きから見たときの図である。
【発明を実施するための形態】
【００２０】
以下、本発明の一実施形態（本実施形態）について適宜図面を参照しながら説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００２１】
また、以下の説明では、互いに直交する３つの方向を「Ｘ方向」、「Ｙ方向」及び「Ｚ方向」と呼ぶこととする。ここで、「Ｙ方向」は、本発明における「導光体の被保持部分の伸長方向」に相当する。また、「Ｚ方向」は、本発明における「導光体の被保持部分の伸長方向と交差する方向」、すなわち「第一方向」に相当する。また、「Ｘ方向」は、本発明における「導光体の被保持部分の伸長方向及び第一方向の双方に交差する方向」、すなわち、「第二方向」に相当する。なお、図２〜図１５のそれぞれには、上記の３つの方向のうち、対応する方向（各図において図示可能な方向）が図示されている。
【００２２】
＜＜本実施形態に係る照明装置の概要＞＞
先ず、本実施形態に係る照明装置の概要について説明する。なお、以下では、本実施形態に係る照明装置は、車両用の内装部品（加飾部品）として利用される照明装置を例に挙げて説明することとする。ただし、本発明の照明装置は、車両用の内装部品として利用されるものに限定されず、車両用の外装部品として利用されるものであってもよく、あるいは、車両以外の乗物に利用されるものであってもよい。
【００２３】
本実施形態に係る照明装置（以下、本装置１０）は、図１に示すように、車両用ドアライニング１を構成する部品として用いられる。より具体的に説明すると、本装置１０は、ベーストリム２とパネルトリム３と共に車両用ドアライニング１を構成している。また、本装置１０は、車両用ドアライニング１においてベーストリム２の裏側に配置されている。より詳しく説明すると、本装置１０は、ベーストリム２の裏側でドアのインナパネル（不図示）にボルト等の締結具によって固定されている。
【００２４】
そして、本装置１０は、光源と、導光体としての光ファイバと、を備えている。光ファイバは、光源から発せられた光を受光し、ファイバ配索方向（光ファイバが配索される方向）に沿って光を伝達する。また、光ファイバは、ベーストリム２の表面に形成された収容溝４内に収容されて当該収容溝４に沿って配索される。
【００２５】
車両用ドアライニング１において収容溝４と対向する位置には、図１に示すようにパネルトリム３の上端部が位置している。ベーストリム２のうち、収容溝４が形成された部分とパネルトリム３の上端部との間には一定のギャップ（間隙）が設けられている。そして、光ファイバ各部から放出される光は、上記のギャップを通じて車室内に向けて出射されるようになる。
【００２６】
以上のように本装置１０は、光ファイバを通じて伝達される光を、ベーストリム２とパネルトリム３との間に形成されたギャップを通じて配光する。これにより、車両用ドアライニング１では、光ファイバの配索方向（換言すると、上記のギャップの形成方向）に沿って光が出射される。これにより、車室内が照らされると共に、車両用ドアライニング１の装飾性（意匠性）が向上する。
【００２７】
＜＜照明装置の構成例＞＞
次に、照明装置の構成例として、第一実施形態に係る照明装置１０Ａの構成を説明する。ここで、照明装置１０Ａは、参考例に係る照明装置に相当するものである。
【００２８】
照明装置１０Ａは、図２〜５に図示の構成を採用しており、具体的に説明すると、同図に図示の発光部２０と、導光体としての光ファイバ３０と、ホルダ４０とを有する。発光部２０は、光源を有し、ホルダ４０（厳密には、ホルダ本体４１）に組み付けられている。光ファイバ３０は、線状に伸長した部材であり、一般的な光ファイバと同様の構成となっている。すなわち光ファイバ３０は、コア及びクラッドからなり、その断面が略円形となっている。
【００２９】
ホルダ４０は、光ファイバ３０が発光部２０と対向している状態で光ファイバ３０を保持する部品である。また、ホルダ４０は、光ファイバ３０のうちの末端部を被保持部分３１とし、当該被保持部分３１を保持する。
【００３０】
ちなみに、被保持部分３１となる光ファイバ３０の末端部の外周部には、図２や図５に示すように収縮バンド３２が嵌合されている。この収縮バンド３２は、光ファイバ３０の末端部の外周部を覆う筒状のゴム製バンドである。そして、光ファイバ３０の末端部の外周部に収縮バンド３２が嵌合されることにより、被保持部分３１とホルダ４０との摩擦抵抗が増加する。この結果、ホルダ４０に保持された光ファイバ３０の被保持部分３１がホルダ４０から抜け難くなっている。また、光ファイバ３０の末端部の外周部を収縮バンド３２にて覆うことで当該末端部における光の漏れが抑制されている。
【００３１】
なお、ホルダ４０自身は、ホルダ４０の端部（厳密には、Ｘ方向における一端部）に設けられた固定部４２が車両用ドアのインナパネルに留められることで固定されている。
【００３２】
以下、第一実施形態に係る発光部２０及びホルダ４０の各々の詳細構成について、既出の図２乃至５、及び図６乃至図１１を参照しながら説明する。
【００３３】
（発光部２０）
発光部２０の構成について説明すると、発光部２０は、図６に図示の外形形状を有している。具体的に説明すると、発光部２０は、略直方体状の外形形状を有しており、図６に示すように基部２１と発光部本体２２とを有する。基部２１は、樹脂製の部品であり、図６に示すように発光部本体２２が取り付けられる。また、基部２１は、図２乃至５に示すようにホルダ４０（厳密にはホルダ本体４１）に組み付けられる。
【００３４】
基部２１について詳しく説明すると、基部２１は、図６及び図７に示すように、互いに高さ（Ｙ方向における長さ）が異なる２つの直方体部分がＸ方向に連なった構造となっている。以下では、基部２１のうち、より高さが低い部分を低背部分２１Ｆと呼ぶこととし、より高さが高い部分を高背部分２１Ｒと呼ぶこととする。
【００３５】
低背部分２１Ｆは、図２や３に示すように、発光部２０がホルダ４０に組み付けられた状態においてホルダ本体４１内に収容されている。より具体的に説明すると、低背部分２１Ｆの側面には、スナップフィット用の結合突起２１ａが形成されている。そして、発光部２０がホルダ４０に組み付けられる際、低背部分２１Ｆがホルダ本体４１に設けられた収容スペース内に収められると共に、ホルダ本体４１に形成された結合穴４１ｃに結合突起２１ａが係合する。これにより、基部２１の低背部分２１Ｆがホルダ本体４１にスナップフィット方式にて結合する。この結果、発光部２０がホルダ本体４１に組み付けられる。
【００３６】
高背部分２１Ｒは、角筒形状となっている。また、高背部分２１Ｒは、図２や３に示すように、発光部２０がホルダ４０に組み付けられた状態においてホルダ本体４１内に収容されずにホルダ本体４１の外にはみ出る。さらに、高背部分２１Ｒは、不図示の電源コネクタに組み付けられることになっており、具体的には、電源コネクタが角筒状の高背部分２１Ｒ内に入り込むようになる。
【００３７】
なお、ホルダ４０への発光部２０の組み付け方式について付言すると、結合突起２１ａと結合穴４１ｃとによるスナップフィット結合方式が採用されていると共に、凹凸嵌合が更に利用されている。具体的に説明すると、図６及び７に示すように、基部２１のうち、結合突起２１ａが形成された面に凸型突起２１ｂが設けられている。この凸型突起２１ｂは、Ｘ方向において結合突起２１ａの両脇にそれぞれ設けられており、Ｙ方向に沿って幾分長く延びている。一方、図３に示すように、ホルダ本体４１のうち、結合穴４１ｃが形成された側壁部にはスリット４１ａが形成されている。このスリット４１ａは、Ｘ方向において結合穴４１ｃの両脇にそれぞれ形成されており、Ｙ方向に沿って幾分長く形成されている。
【００３８】
そして、発光部２０がホルダ４０に組み付けられる際、結合突起２１ａが結合穴４１ｃに係合すると共に、各凸型突起２１ｂが対応するスリット４１ａに嵌合する。これにより、発光部２０がホルダ本体４１に対して一層強固に組み付けられる。
【００３９】
なお、ホルダ本体４１のうち、スリット４１ａが形成された側壁部には、図３及び図４に示すように補強用のリブ４１ｂが設けられている。リブ４１ｂは、Ｘ方向において各スリット４１ａの両脇に１個ずつ立設されている。
【００４０】
発光部本体２２は、発光部２０のうち、光学的な主要部分をなしており、図８に示すようにＬＥＤ基板２３と集光レンズ２４とを有する。ＬＥＤ基板２３は、光源に相当し、不図示のＬＥＤを含み、給電されることによりＬＥＤを発光させる。なお、図８に示すように、ＬＥＤ基板２３には、受電用のターミナル２３ａが設けられている。このターミナル２３ａは、発光部本体２２が基部２１に取り付けられた状態では、基部２１の高背部分２１Ｒ内に位置している。これにより、高背部分２１Ｒが電源コネクタに組み付けられると、高背部分２１Ｒ内で上記のターミナル２３ａが電源コネクタに接続されるようになる。
【００４１】
集光レンズ２４は、ＬＥＤ基板２３の上に重ねられており、ＬＥＤからの照射光を集光するものである。この集光レンズ２４は、平板状のベース部分２４ａからＹ方向に山状に突出し、その頂部に向かうに連れて窄んだ形状をなしている。なお、集光レンズ２４は、ベース部分２４ａと一体的に成形されている。ちなみに、集光レンズ２４及びベース部分２４ａの材質については、集光性を有するものである限り、特に限定されるものではない。
【００４２】
そして、発光部本体２２は、図６に示すように、基部２１に取り付けられ、具体的には、Ｙ方向における基部２１の端面に形成された窪み内に発光部本体２２が嵌め込まれる。なお、発光部本体２２が基部２１に組み付けられた状態では、図６及び図７に示すように、集光レンズ２４の頂部がＹ方向において外側（基部２１が位置する側とは反対側）を向いている。
【００４３】
（ホルダ４０）
ホルダ４０の構成について説明すると、ホルダ４０は、樹脂成形品であり、光ファイバ３０を固定していない解放状態では、図９に図示の外観をなしている。また、同図に示すように、ホルダ４０は、ホルダ本体４１と、固定部４２と、壁としての隆起壁４３と、２つの挟み込み部分４４、４５と、を有する。なお、上述したホルダ４０各部（具体的には、ホルダ本体４１、固定部４２、隆起壁４３及び２つの挟み込み部分４４、４５）は、いずれも一体化された状態にあり、換言すると、一部品として樹脂成形されている。ただし、これに限定されるものではなく、ホルダ４０各部が別部品として形成され、これらの部品が組み合わされて一つのホルダ４０を構成してもよい。
【００４４】
ホルダ本体４１は、発光部２０（厳密には、基部２１の低背部分２１Ｆ）が取り付けられる部分である。具体的に説明すると、ホルダ本体４１は、略矩形状の底壁部と、底壁部から立設する側壁部とによって構成される。ホルダ本体４１を構成する側壁部は、底壁部の外縁に相当する４辺のうち、２つの長辺及び１つの短辺に沿って形成されている。なお、側壁部には、上述したスリット４１ａと結合穴４１ｃとが形成されており、スリット４１ａの両脇位置にはリブ４１ｂが形成されている。
【００４５】
そして、底壁部と側壁部とによって囲まれるスペース（収容スペース）内に基部２１が収容される。なお、図２及び３に示すように、収容スペースの一端（Ｘ方向における一端）は、側壁が設けられておらず開口端となっている。このため、発光部２０は、基部２１の一部（具体的には、高背部分２１Ｒ）が上記の開口端を通じて収容スペースの外にはみ出した状態で、ホルダ本体４１に取り付けられるようになる。
【００４６】
また、発光部２０は、集光レンズ２４の頂部がホルダ本体４１の底壁部に向いた姿勢にてホルダ本体４１に取り付けられる。より具体的に説明すると、底壁部の一部分は、図２や図９に示すように、円柱状に隆起して隆起壁４３を形成している。そして、図１０に示すように、発光部２０がホルダ本体４１に取り付けられた状態において、集光レンズ２４の頂部が隆起壁４３の内側に入り込んでいる。
【００４７】
一方、図１０に示すように、隆起壁４３のうち、Ｙ方向において最も外側（発光部２０が位置する側とは反対側）にある部分には、貫通穴状の開口４３ｈが形成されている。発光部２０がホルダ本体４１に取り付けられた状態において、集光レンズ２４の頂部は、上記の開口４３ｈに臨んでいる。このため、集光レンズ２４から発せられた光は、開口４３ｈを通過するようになる。
【００４８】
なお、上記の開口４３ｈは、図１０に示すようにテーパ状の円穴となっており、集光レンズ２４から離れるほど縮径している。ちなみに、開口４３ｈは、円穴に限定されるものではなく、半円状の穴であってもよく、あるいは矩形状の穴でもあってもよい。このように開口４３ｈの形状を変更することによって、開口４３ｈを通過する光の量を調整することが可能となる。すなわち、光ファイバ３０に到達する光の量を調整することができるので、開口４３ｈの形状が異なる複数のホルダ４０を用意することで、同一の発光強度を有するＬＥＤを使用しながらも、光ファイバ３０からの発光量を調整することが可能となる。
【００４９】
固定部４２は、ホルダ４０を所定の固定位置（具体的には、ドアのインナパネル）に固定するために形成された部分である。この固定部４２は、Ｘ方向におけるホルダ本体４１の端部から同方向に沿って舌状に突出している。また、図４や図９に示すように、固定部４２の中央部には、ボルト挿入孔としての円穴が形成されている。このボルト挿入孔に挿入されたボルトがドアのインナパネルに設けられた不図示の穴に螺合することで、ホルダ４０がインナパネルの所定位置に固定される。
【００５０】
２つの挟み込み部分４４、４５は、ホルダ４０において光ファイバ３０の末端部、すなわち、被保持部分３１を保持する部分である。具体的に説明すると、２つの挟み込み部分４４、４５は、図２及び図５に示すように、Ｚ方向において被保持部分３１を挟んだ状態で係合する。このように係合状態の２つの挟み込み部分４４の間に挟み込まれることで、光ファイバ３０の被保持部分３１がホルダ４０によって保持される。
【００５１】
以下、２つの挟み込み部分４４、４５の詳細について説明する。２つの挟み込み部分４４、４５は、図２及び９に示すように、Ｙ方向において隆起壁４３の手前位置（隆起壁４３から見て発光部２０とは反対側の位置）に設けられている。また、一方の挟み込み部分４４と、他方の挟み込み部分４５とは、ヒンジによって連結されている。したがって、一方の挟み込み部分４４は、他方の挟み込み部分４５に対して回動自在となっている。より具体的に説明すると、一方の挟み込み部分４４は、Ｙ方向に沿った回動軸（厳密には、挟み込み部分４４、４５同士の連結部分４９）周りに回動することで、図９に図示の解放位置と、図２や５に図示の保持位置との間を移動することが可能である。
【００５２】
なお、一方の挟み込み部分４４が回動する際の回動軸、すなわち、挟み込み部分４４、４５同士の連結部分４９は、図２及び９に示すように、Ｘ方向において固定部４２とは反対側に位置する。換言すると、固定部４２は、Ｘ方向において上記の回動軸が位置する側とは反対側に設けられている。このような位置関係により、上記の回動軸と固定部４２との干渉が適切に抑制されている。
【００５３】
また、一方の挟み込み部分４４は、Ｌ字状に屈曲しており、その短辺部分の先端部には係合爪４６が設けられている。この係合爪４６は、係合部に相当し、Ｙ方向において幾分の幅を有している。他方の挟み込み部分４５は、Ｘ方向における端部（連結部分４９とは反対側の端部）に、係合爪４６と係合する突起部４８を備えている。この突起部４８は、被係合部に相当し、係合爪４６と同様、Ｙ方向において幾分の幅を有している。
【００５４】
そして、一方の挟み込み部分４４が他方の挟み込み部分４５に対して回動し、図５に図示の保持位置に至ると、係合爪４６が突起部４８と係合する。このようにして２つの挟み込み部分４４、４５同士が係合する。このとき、挟み込み部分４４、４５の間に光ファイバ３０の被保持部分３１が配置されていると、当該被保持部分３１がＺ方向において２つの挟み込み部分４４、４５に挟み込まれ、挟み込み部分４４、４５の間に保持されるようになる。
【００５５】
なお、図２及び５に示すように、２つの挟み込み部分４４、４５は、Ｘ方向において被保持部分３１と隣り合う位置、より厳密には、被保持部分３１から見て挟み込み部分４４、４５同士の連結部分４９とは反対側で被保持部分３１と隣り合う位置で係合する。このように光ファイバ３０の脇位置で２つの挟み込み部分４４、４５を係合させる構成により、各々の挟み込み部分４４、４５がよりコンパクトな構造となっている。
【００５６】
より詳しく説明すると、上記の構成であれば、各挟み込み部分４４、４５の寸法（特に、Ｙ方向における長さ）に関して、光ファイバ３０を挟み込むのに必要な長さを極力小さくすることが可能となる。この結果、各々の挟み込み部分４４、４５がよりコンパクトになり、より小型化されたホルダ４０となる。
【００５７】
ちなみに、２つの挟み込み部分４４、４５は、上述したようにヒンジによって連結されている。このような構成であれば、挟み込み部分４４、４５同士が分離している構成に比べて、挟み込み部分４４、４５の取り扱い（特に、挟み込み部分４４、４５同士を係合させること）が容易になる。ただし、これに限定されるものではなく、２つの挟み込み部分４４、４５が連結しておらず互いに分離していてもよい。
【００５８】
さらに、２つの挟み込み部分４４、４５は、光ファイバ３０の被保持部分３１を良好に保持し得る構造を採用している。以下では、各挟み込み部分４４、４５の構造について詳述する。
【００５９】
一方の挟み込み部分４４（Ｌ字状の挟み込み部分４４）は、図１１に示すように、被保持部分３１と対向する面に形成された凸部５０を有する。この凸部５０は、略直方体状に突出した突起からなる。そして、凸部５０は、２つの挟み込み部分４４、４５が被保持部分３１を挟み込んだ状態において被保持部分３１と接して当該被保持部分３１を押圧している。つまり、２つの挟み込み部分４４、４５が被保持部分３１を挟み込んでいる間、被保持部分３１は、凸部５０によって押さえ付けられている。これにより、２つの挟み込み部分４４、４５に挟み込まれた状態の被保持部分３１が抜け出てしまう状況を、効果的に抑制することが可能である。
【００６０】
なお、凸部５０の頂面については、被保持部分３１を押さえ付ける際に過度な応力が生じて被保持部分３１を損傷させないために、図１１に示すように円弧状に湾曲していることが望ましい。
【００６１】
また、一方の挟み込み部分４４に形成された係合爪４６について説明すると、図９に示すように、Ｙ方向における係合爪４６の一端部（ホルダ本体４１により近い側の端部）の形状が、それ以外の部分の形状と異なっている。より具体的に説明すると、Ｙ方向における係合爪４６の一端部には、それ以外の部分よりもＺ方向に拡張している。この拡張部分は、略三角形状に形成された係止部４６ｘである。
【００６２】
Ｙ方向において上記の係止部４６ｘが形成された係合爪４６の一端部は、他方の挟み込み部分４５に形成された突起部４８と係合不能である。したがって、係合爪４６は、一端部以外の部分にて突起部４８と係合することとなる。
【００６３】
そして、係合爪４６のうち、一端部以外の部分が突起部４８と係合した状態では、一端部に形成された係止部４６ｘが突起部４８と接している。このように係止部４６ｘが突起部４８と当接することにより、係止部４６ｘがＹ方向において突起部４８を係止するようになる。具体的には、Ｙ方向において突起部４８が係合爪４６に対して位置ずれすること（換言すると、Ｙ方向においてホルダ本体４１から離れる向きに一方の挟み込み部分４４が他方の挟み込み部分４５に対して移動してしまうこと）を規制する。この結果、係合爪４６は、適正な係合箇所にて突起部４８と係合するようになる。つまり、係合爪４６が本来の係合箇所からずれた状態で突起部４８に係合してしまう状況を、係止部４６ｘによって適切に抑制している。
【００６４】
他方の挟み込み部分４５の構造について説明すると、図５や図９に示すように、当該挟み込み部分４５の中途位置（Ｘ方向における中途位置）には略Ｕ字状の部分が設けられている。この略Ｕ字状の部分は、光ファイバ３０の被保持部分３１を保持する際に、被保持部分３１を位置決めする位置決め部４７に該当する。位置決め部４７は、隆起壁４３の外表面からＹ方向に沿って延出するように形成されている。
【００６５】
そして、２つの挟み込み部分４４、４５の間に被保持部分３１を挟み込むにあたり、位置決め部４７の内側空間（Ｕ字状の位置決め部４７によって囲まれる空間）に被保持部分３１が差し込まれる。この際、被保持部分３１の端面、すなわち光ファイバ３０の末端が隆起壁４３の表面に突き当てられる。かかる状態において被保持部分３１が位置決め部４７によって位置決めされる。すなわち、位置決め部４７は、被保持部分３１の端面が隆起壁４３に突き当たる位置に被保持部分３１を位置決めするものである。
【００６６】
さらに、位置決め部４７によって被保持部分３１が上記の位置に位置決めされると、図１０に示すように、隆起壁４３に突き当たっている被保持部分３１の端面の一部が、隆起壁４３に形成された開口４３ｈに臨むようになる。また、開口４３ｈを挟んで被保持部分３１と反対側には集光レンズ２４の頂部が位置している。したがって、被保持部分３１が位置決め部４７によって位置決めされると、被保持部分３１の端面が開口４３ｈを通じて集光レンズ２４の頂部と対向するようになる。換言すると、位置決め部４７は、被保持部分３１の端面が開口４３ｈを通じて集光レンズ２４と対向する位置に被保持部分３１を位置決めする。これにより、集光レンズ２４から発せられた光は、開口４３ｈを通じて光ファイバ３０の末端に適切に向かうようになる。
【００６７】
なお、図１０に示すように、開口４３ｈのうち、被保持部分３１により近い方の端のサイズ（具体的には外径の大きさ）は、光ファイバ３０の断面サイズ（具体的には外径の大きさ）よりも僅かに小さくなっている。このため、集光レンズ２４から発せられた光は、より適切に光ファイバ３０の末端に向かうようになる。この結果、光ファイバ３０における光の伝達が効率よく行われるようになる。
【００６８】
ちなみに、開口４３ｈのサイズ（厳密には、被保持部分３１により近い方の端のサイズ）については、図１０に図示したサイズに限定されず、光ファイバ３０の断面サイズに比べて格段に小さなサイズであってもよい。これによって、前述したように、光ファイバ３０に到達する光の量を制御することが可能となる。
【００６９】
以上のように被保持部分３１が位置決め部４７によって位置決めされた上で、一方の挟み込み部分４４が他方の挟み込み部分４５に対して回動し、２つの挟み込み部分４４、４５同士が係合する。すなわち、２つの挟み込み部分４４、４５は、開口４３ｈを通じて被保持部分３１の端面が集光レンズ２４と対向するように被保持部分３１を挟んだ状態で係合する。これにより、光ファイバ３０は、集光レンズ２４から発せられた光を良好に捕捉し得る状態でホルダ４０に保持されるようになる。
【００７０】
なお、他方の挟み込み部分４５が備えている突起部４８は、図２及び図５に示すように、位置決め部４７の外周面に設けられている。より詳しく説明すると、突起部４８は、位置決め部４７の外周のうち、Ｘ方向において２つ挟み込み部分４４、４５の連結部分４９とは反対側に位置する端部からＸ方向に突出するように形成されている。このように突起部４８が位置決め部４７に設けられていることで、光ファイバ３０の被保持部分３１を位置決めしたままの状態で挟み込み部分４４、４５同士を係合させることが可能となる。
【００７１】
また、２つの挟み込み部分４４、４５が係合している状態、すなわち、光ファイバ３０がホルダ４０に保持されている状態では、図２及び５に示すように、光ファイバ３０の被保持部分３１の外周の一部が２つの挟み込み部分４４、４５によって取り囲まれている。より具体的に説明すると、２つの挟み込み部分４４、４５が係合している状態では、被保持部分３１が位置決め部４７の内部空間に収容されている。また、２つの挟み込み部分４４、４５が係合している状態では、図２及び図５に示すように、一方の挟み込み部分４４の一部（Ｌ字の長辺に相当する部分）が位置決め部４７のうち、開いている方の端部に当接している。この結果、被保持部分３１の外周の一部が、一方の挟み込み部分４４と他方の挟み込み部分４５の位置決め部４７とによって包囲されている。
【００７２】
以上のように被保持部分３１の外周の一部が２つの挟み込み部分４４、４５によって取り囲まれていることで、被保持部分３１の保持状態が安定するようになる。さらに、被保持部分３１からの光の漏れが抑制され、結果として、光ファイバ３０における光の伝達が効率よく行われるようになる。
【００７３】
また、一方の挟み込み部分４４の幅（Ｙ方向における長さ）は、他方の挟み込み部分４５の位置決め部４７の幅（Ｙ方向における長さ）よりも短くなっている。より具体的に説明すると、一方の挟み込み部分４４の一端は、図２に示すように、Ｙ方向において位置決め部４７の一端（自由端）と略同じ位置にある。これに対し、一方の挟み込み部分４４の他端は、同図に示すように、Ｙ方向において位置決め部４７の他端（固定端）よりも幾分手前に位置している。以上の構成では、２つの挟み込み部分４４、４５が係合すると、図１０に示すように、一方の挟み込み部分４４とホルダ本体４１（厳密には隆起壁４３）との間に隙間ｇが形成されるようになる。
【００７４】
そして、２つの挟み込み部分４４、４５が係合している状態では、位置決め部４７内にある被保持部分３１のうち、Ｙ方向において位置決め部４７の固定端付近に位置する部分が上記の隙間ｇを通じて露出している。このため、上記の隙間ｇを通じて被保持部分３１の位置や保持状態（例えば、被保持部分３１の端面が隆起壁４３に確実に突き当たっているか否か）を視認することが可能である。
【００７５】
＜＜照明装置の構成の変形例＞＞
次に、照明装置の構成の変形例として、第二実施形態に係る照明装置１０Ｂの構成を説明する。ここで、照明装置１０Ｂは、本装置１０（すなわち、本発明の照明装置）に相当するものである。
【００７６】
第二実施形態に係る照明装置１０Ｂは、基本構成の面では、第一実施形態に係る照明装置１０Ａと同様である。すなわち、図１２に示すように、照明装置１０Ｂは、発光部２０と、光ファイバ３０と、ホルダ６０とを有する。図１２は、第二実施形態に係る照明装置１０Ｂの斜視図であり、図２と対応する図面である。なお、図１２中、第一実施形態と同じ機能及び構造を有する部品については、第一実施形態における符号と同様の符号が付されている。また、第一実施形態における符号と同様の符号が付された部品については、以降、説明を省略することとする。
【００７７】
一方で、第二実施形態に係る照明装置１０Ｂのうち、ホルダ６０は、第一実施形態に係る照明装置１０Ａが有するホルダ４０と相違する。以下、第二実施形態に係るホルダ６０について、第一実施形態に係るホルダ４０との相違点を中心に説明することとする。
【００７８】
第二実施形態に係るホルダ６０は、基本構成の面では、第一実施形態に係るホルダ４０と同様である。すなわち、第二実施形態に係るホルダ６０は、図１３に示すように、ホルダ本体４１と、固定部４２と、壁としての隆起壁４３と、２つの挟み込み部分４４、４５と、を有する。図１３は、第二実施形態に係るホルダ６０を示す斜視図である。なお、図１３中、第一実施形態に係るホルダ４０が有する部分と同じ機能及び構造を有する部分については、第一実施形態における符号と同様の符号が付されている。また、第一実施形態における符号と同様の符号が付された部分については、以降、説明を省略することとする。
【００７９】
また、第二実施形態に係るホルダ６０は、図１３に示すように、突出部６１を備えている。この突出部６１は、Ｙ方向において２つの挟み込み部分４４、４５に向かってホルダ本体４１から突出した部分である。そして、突出部６１は、抑制部として機能し、Ｙ方向においてホルダ本体４１が位置する向きに２つの挟み込み部分４４、４５の係合箇所がずれるのを抑制する。
【００８０】
突出部６１について詳しく説明すると、突出部６１は、図１２に示すように、Ｙ方向において２つの挟み込み部分４４、４５と並ぶ位置に設けられている。より詳細に説明すると、突出部６１は、図１３に示すように、Ｙ方向において他方の挟み込み部分４５中の突起部４８と並ぶ位置に設けられている。なお、本実施形態において、突出部６１は、隆起壁４３と位置決め部４７との間に形成された角部のスペース内に設けられている。
【００８１】
そして、一方の挟み込み部分４４が他方の挟み込み部分４５に対して回動し、係合爪４６が突起部４８と係合する位置（保持位置）に至ると、Ｙ方向において突出部６１と隣接する位置に係合爪４６が配置されるようになる。かかる位置にて係合爪４６が突起部４８と係合するようになる。換言すると、２つの挟み込み部分４４、４５は、Ｙ方向において突出部６１の手前位置（突出部６１から見てホルダ本体４１が位置する側とは反対側の位置）で係合することになる。
【００８２】
以上のような突出部６１が設けられていることで、Ｙ方向においてホルダ本体４１が位置する向きに２つの挟み込み部分４４、４５の係合箇所がずれるのを抑制することが可能となる。具体的に説明すると、一方の挟み込み部分４４が回動する際に正規の経路から外れて回動し、係合爪４６が本来の係合箇所からホルダ本体４１に近付く向きに幾分ずれた状態で突起部４８に係合しようとすると、その直前時点で係合爪４６が突出部６１に当接する。これにより、係合箇所の位置がずれた状態で係合爪４６が突起部４８に係合してしまうのを抑制することが可能となる。この結果、２つの挟み込み部分４４、４５が適当な係合箇所にて係合し、以て光ファイバ３０がホルダ４０に適切に保持されるようになる。
【００８３】
ところで、第二実施形態では、一方の挟み込み部分４４のうち、係合爪４６が形成されている先端部に、係合爪４６とは異なる形状の部分が設けられている。かかる部分は、Ｙ方向において係合爪４６のうち、ホルダ本体４１に近い方の端部と隣接する隣接部６２である。隣接部６２は、図１４及び１５を対比すると分かるように、係合爪４６のように中途位置で括れた形状になっておらず、厚みが略一様の形状（厳密には、図１５に示すように正面視で略台形状）となっている。
【００８４】
つまり、隣接部６２は、もはや係合爪４６にあらず、他方の挟み込み部分４５に形成された突起部４８と係合不能である。このような隣接部６２が設けられていることにより、Ｙ方向において２つの挟み込み部分４４、４５の係合箇所がずれてしまうのを、より効果的に抑制することが可能となる。具体的に説明すると、係合爪４６が本来の係合箇所からホルダ本体４１から離れた向きに幾分ずれた状態で突起部４８に係合しようとすると、その直前時点で隣接部６２が突起部４８に当接する。しかしながら、隣接部６２は、前述のように突起部４８と係合不能であるため、そのままの状態では２つの挟み込み部分４４、４５が係合することができない。これにより、Ｙ方向において２つの挟み込み部分４４、４５の係合箇所がずれてしまう状況を抑制し、結果として、係合爪４６が適正な係合箇所にて突起部４８と係合するようになる。
【００８５】
また、第二実施形態では、第一実施形態と同様、一方の挟み込み部分４４（Ｌ字状の挟み込み部分４４）が、被保持部分３１と対向する面に形成された凸部６３を有する。ただし、第二実施形態に係る凸部６３は、図１４及び図１５に示すように、第一実施形態に係る凸部５０とは異なる形状であり、具体的には楔状の突起からなる。つまり、第二実施形態に係る凸部６３は、斜面６３ａを備えている。この斜面６３ａは、Ｙ方向においてホルダ本体４１から離れるほど低くなっている（換言すると、一方の挟み込み部分４４が有する被保持部分３１との対向面に近付いている）。
【００８６】
そして、２つの挟み込み部分４４、４５が被保持部分３１を挟み込んだ状態において、楔状の凸部６３は、上記の斜面６３ａにて被保持部分３１と接している。つまり、２つの挟み込み部分４４、４５が被保持部分３１を挟み込んでいる間、被保持部分３１は、楔状の凸部６３によって押さえ付けられている。この際、上述した傾斜方向に斜面６３ａが傾斜しているため、被保持部分３１の末端に向かうほど、被保持部分３１を押さえ付ける力が大きくなる。この結果、２つの挟み込み部分４４、４５に挟み込まれた状態の被保持部分３１が抜け出てしまう状況を、格段に効果的に抑制することが可能である。
【００８７】
なお、凸部６３の頂部については、被保持部分３１の損傷を回避する目的から、図１４及び１５に示すように円弧状に切り欠かれているとよい。なお、凸部６３の頂部が円弧状に切り欠かれていれば、凸部６３と被保持部分３１との接触面積が増加する。これにより、２つの挟み込み部分４４、４５に挟み込まれた状態の被保持部分３１が抜け出てしまう状況を、より一層効果的に抑制することが可能である。
【符号の説明】
【００８８】
１  車両用ドアライニング
２  ベーストリム
３  パネルトリム
４  収容溝
１０  本装置（照明装置）
１０Ａ  照明装置
１０Ｂ  照明装置
２０  発光部
２１  基部
２１Ｆ  低背部分
２１Ｒ  高背部分
２１ａ  結合突起
２１ｂ  凸型突起
２２  発光部本体
２３  ＬＥＤ基板（光源）
２３ａ  ターミナル
２４  集光レンズ
２４ａ  ベース部分
３０  光ファイバ（導光体）
３１  被保持部分
３２  収縮バンド
４０  ホルダ
４１  ホルダ本体
４１ａ  スリット
４１ｂ  リブ
４１ｃ  結合穴
４２  固定部
４３  隆起壁（壁）
４３ｈ  開口
４４  挟み込み部分
４５  挟み込み部分
４６  係合爪（係合部）
４６ｘ  係止部
４７  位置決め部
４８  突起部（被係合部）
４９  連結部分
５０  凸部
６０  ホルダ
６１  突出部（抑制部）
６２  隣接部
６３  凸部
６３ａ  斜面
ｇ  隙間
【図１】
2020123595.tif 000003
【図２】
2020123595.tif 000004
【図３】
2020123595.tif 000005
【図４】
2020123595.tif 000006
【図５】
2020123595.tif 000007
【図６】
2020123595.tif 000008
【図７】
2020123595.tif 000009
【図８】
2020123595.tif 000010
【図９】
2020123595.tif 000011
【図１０】
2020123595.tif 000012
【図１１】
2020123595.tif 000013
【図１２】
2020123595.tif 000014
【図１３】
2020123595.tif 000015
【図１４】
2020123595.tif 000016
【図１５】
2020123595.tif 000017